(57)【特許請求の範囲】
【請求項１】
複数の中古バッテリーユニットを保管する保管庫であって、
前記複数の中古バッテリーユニットそれぞれの特性に応じた所定のＳＯＣ（Ｓｔａｔｅ  Ｏｆ  Ｃｈａｒｇｅ）の範囲を記憶する記憶部と、
前記複数の中古バッテリーユニットを相互に電気的に接続する接続回路と、
保管されている該複数の中古バッテリーユニットに接続されて、それぞれの電流値及び電圧値を認識する認識部と、
前記認識部による認識結果と、前記記憶部に記憶された前記複数の中古バッテリーユニットそれぞれの前記所定のＳＯＣの範囲とに基づいて、前記複数の中古バッテリーユニットから、放電を行わせる放電対象バッテリーユニットと、充電を行わせる充電対象バッテリーユニットと、を選択する選択部と、
前記放電対象バッテリーユニット及び前記充電対象バッテリーユニットのＳＯＣが前記所定のＳＯＣの範囲内となるように、該放電対象バッテリーユニットから放電させるとともに、該放電された電力を該充電対象バッテリーユニットに充電する充放電制御部と、
を備えることを特徴とする中古バッテリーユニット保管庫。
【請求項２】
請求項１に記載の中古バッテリーユニット保管庫において、
前記接続回路に電気的に接続されて、前記複数の中古バッテリーユニットに充電を行う充電部を備え、
前記選択部は、前記放電対象バッテリーユニットから放電させる電力量が、前記充電対象バッテリーユニットを前記所定のＳＯＣの範囲内まで充電するために必要な電力量に不足である場合には、該不足する電力を供給する電源として前記充電部を選択するように構成されており、
前記充放電制御部は、前記放電対象バッテリーユニット及び前記充電対象バッテリーユニットのＳＯＣが前記所定のＳＯＣの範囲内となるように、該放電対象バッテリーユニットから放電させ又は前記充電部から放電させるとともに、該放電された電力を該充電対象バッテリーユニットに充電するように構成されている、
ことを特徴とする中古バッテリーユニット保管庫。
【請求項３】
請求項１又は２に記載の中古バッテリーユニット保管庫において、
前記接続回路に電気的に接続されて、前記複数の中古バッテリーユニットから電力の供給を受けて該電力を出力する電力出力部を備え、
前記選択部は、前記放電対象バッテリーユニットから放電させる電力量が、前記充電対象バッテリーユニットの前記所定のＳＯＣの範囲の上限まで充電するために必要な電力量を超過する場合には、該超過する電力を供給する対象として前記電力出力部を選択するように構成されており、
前記充放電制御部は、前記放電対象バッテリーユニット及び前記充電対象バッテリーユニットの前記所定のＳＯＣの範囲内となるように、該放電対象バッテリーユニットから放電させるとともに、該放電された電力を該充電対象バッテリーユニットに充電し、又は該放電された電力を前記電力出力部に供給するように構成されている、
ことを特徴とする中古バッテリーユニット保管庫。
【請求項４】
請求項１又は２に記載の中古バッテリーユニット保管庫において、
前記接続回路に電気的に接続されて、前記複数の中古バッテリーユニットから電力の供給を受けて該電力を出力する電力出力部と、
ユーザーによる、前記電力出力部からの電力の出力指示の入力を受け付ける電力出力指示受付部とを備え、
前記選択部は、前記電力出力指示受付部により前記出力指示の入力が受け付けられた場合には、前記複数の中古バッテリーユニットのうち、最もＳＯＣが高い前記中古バッテリーユニットを前記放電対象バッテリーユニットとして選択し、該放電対象バッテリーユニットから放電される電力を供給する対象として前記電力出力部を選択するように構成されており、
前記充放電制御部は、前記放電対象バッテリーユニットのＳＯＣの範囲内となるように、該放電対象バッテリーユニットから放電させるとともに、該放電された電力を前記電力出力部に供給するように構成されている、
ことを特徴とする中古バッテリーユニット保管庫。
【請求項５】
請求項３又は４に記載の中古バッテリーユニット保管庫において、
前記充放電制御部は、前記電力出力部に供給された電力を、前記中古バッテリーユニット保管庫の動作に必要な電力として供給するように構成されている、
ことを特徴とする中古バッテリーユニット保管庫。
【請求項６】
請求項１〜５の何れかに記載の中古バッテリーユニット保管庫において、
前記複数の中古バッテリーユニットそれぞれの劣化状態を取得して前記記憶部に時系列的に記憶させる劣化状態取得部と、
前記時系列的に記憶された前記劣化状態に基づいて前記複数の中古バッテリーユニットそれぞれの劣化傾向を取得する劣化傾向取得部と、
前記複数の中古バッテリーユニットそれぞれの前記劣化傾向に応じて該複数の中古バッテリーユニットそれぞれの前記所定のＳＯＣの範囲を定期的に又は不定期的に決定して前記記憶部に記憶させるＳＯＣ範囲決定部と、
を備えることを特徴とする中古バッテリーユニット保管庫。
【発明の詳細な説明】
【技術分野】
【０００１】
本発明は、中古バッテリーユニットの保管庫に関する。
【背景技術】
【０００２】
従来、バッテリーの保管庫が提案されている（特許文献１参照）。
【先行技術文献】
【特許文献】
【０００３】
【特許文献１】特開2000-113909号公報
【発明の概要】
【発明が解決しようとする課題】
【０００４】
特許文献１の技術によれば、保管中のバッテリーの充放電を繰り返して行って、保管中のバッテリーの劣化を抑制することができる。
【０００５】
特許文献１の技術を、中古バッテリーユニットのリユース事業を行うために中古バッテリーユニットを保管する保管庫に応用することが考えられる。
【０００６】
中古バッテリーユニットのリユース事業を行うためにはある程度の数の中古バッテリーユニットを集めて保管することとなる。
【０００７】
そして保管している間に中古バッテリーユニットが劣化しないように保存する必要があり、そのためには、中古バッテリーユニットのＳＯＣを適切に管理する必要がある。
【０００８】
中古バッテリーユニットのＳＯＣを適切に管理するためには、中古バッテリーユニットそれぞれの特性に応じた所定のＳＯＣの範囲内となるように充電又は放電を行う必要があるが、放電時の電力が無駄に消費されたり、充電時の電気代を生じさせたりすることは経済的ではない。
【０００９】
しかしながら、特許文献１の技術では、放電時の電力を有効に活用したり、充電時の電気代を抑さえたりすることが考慮されていない。
【００１０】
また、中古バッテリーユニットには、バッテリーユニットのＳＯＣを認識する機構として、メーカーごとのＢＭＵ（Ｂａｔｔｅｒｙ  Ｍａｎａｇｅｍｅｎｔ  Ｕｎｉｔ）、ＣＣＵ（Ｃｅｌｌ  Ｃｏｎｔｒｏｌ  Ｕｎｉｔ）などが設置されているところであるが、これらのＢＭＵ、ＣＣＵのインタフェースは通例は公開されていない。
【００１１】
特許文献１の技術においてはその点も考慮されていないので、中古バッテリーユニットのＳＯＣを適切に認識して管理することができず、結果的に保管時の劣化を抑制できない。
【００１２】
そこで本発明は、様々なメーカーの中古バッテリーユニットの保管時の劣化を抑えつつ、経済的に複数の中古バッテリーユニットを保管できる中古バッテリーユニット保管庫を提供することを目的とする。
【課題を解決するための手段】
【００１３】
本発明の中古バッテリーユニット保管庫は、
複数の中古バッテリーユニットを保管する保管庫であって、
前記複数の中古バッテリーユニットそれぞれの特性に応じた所定のＳＯＣ（Ｓｔａｔｅ  Ｏｆ  Ｃｈａｒｇｅ）の範囲を記憶する記憶部と、
前記複数の中古バッテリーユニットを相互に電気的に接続する接続回路と、
保管されている該複数の中古バッテリーユニットに接続されて、それぞれの電流値及び電圧値を認識する認識部と、
前記認識部による認識結果と、前記記憶部に記憶された前記複数の中古バッテリーユニットそれぞれの前記所定のＳＯＣの範囲とに基づいて、前記複数の中古バッテリーユニットから、放電を行わせる放電対象バッテリーユニットと、充電を行わせる充電対象バッテリーユニットと、を選択する選択部と、
前記放電対象バッテリーユニット及び前記充電対象バッテリーユニットのＳＯＣが前記所定のＳＯＣの範囲内となるように、該放電対象バッテリーユニットから放電させるとともに、該放電された電力を該充電対象バッテリーユニットに充電する充放電制御部と、を備えることを特徴とする。
【００１４】
本発明の中古バッテリーユニット保管庫によれば、保管されている該複数の中古バッテリーユニットに接続された認識部により、それぞれの電流値及び電圧値が認識される。
【００１５】
これにより、中古バッテリーユニットにあらかじめ設置されているＢＭＵ、ＣＣＵのインタフェースが公開されていない場合でも、複数の中古バッテリーユニットそれぞれの電流値及び電圧値を認識できる。
【００１６】
そのため、様々なメーカーの中古バッテリーユニットのＳＯＣを認識でき、中古バッテリーユニットそれぞれの特性に応じた所定のＳＯＣの範囲内となるように充電又は放電をすることができるので、中古バッテリーユニットの劣化を抑制できる。
【００１７】
また、充放電制御部により、放電対象バッテリーユニットから放電された電力が充電対象バッテリーユニットに充電される。
【００１８】
これにより、保管庫内の中古バッテリーユニットの充電に用いられる電力は、他の中古バッテリーユニットの放電による電力で賄われるため、経済的である。
【００１９】
このように本発明の中古バッテリーユニット保管庫によれば、様々なメーカーの中古バッテリーユニットの保管時の劣化を抑えつつ、経済的に複数の中古バッテリーユニットを保管できる。
【００２０】
本発明の中古バッテリーユニット保管庫において、
前記接続回路に電気的に接続されて、前記複数の中古バッテリーユニットに充電を行う充電部を備え、
前記選択部は、前記放電対象バッテリーユニットから放電させる電力量が、前記充電対象バッテリーユニットを前記所定のＳＯＣの範囲内まで充電するために必要な電力量に不足である場合には、該不足する電力を供給する電源として前記充電部を選択するように構成されており、
前記充放電制御部は、前記放電対象バッテリーユニット及び前記充電対象バッテリーユニットのＳＯＣが前記所定のＳＯＣの範囲内となるように、該放電対象バッテリーユニットから放電させ又は前記充電部から放電させるとともに、該放電された電力を該充電対象バッテリーユニットに充電するように構成されていることが好ましい。
【００２１】
本発明の中古バッテリーユニット保管庫によれば、充電対象バッテリーユニットの所定のＳＯＣの範囲内とするために必要な電力量が不足する場合には、不足する電力が充電器から供給される。
【００２２】
これにより、中古バッテリーユニットそれぞれの所定のＳＯＣの範囲内となるように充電又は放電される確実性が高まり、中古バッテリーユニットの劣化を抑制できる確実性も高まる。
【００２３】
また、不足する電力のみを充電部から供給すればよいので、保管庫内の中古バッテリーユニット以外の電源から供給する電力量が最小限に抑えられ、経済的である。
【００２４】
このように本発明の中古バッテリーユニット保管庫によれば、様々なメーカーの中古バッテリーユニットの保管時の劣化を確実に抑えつつ、経済的に複数の中古バッテリーユニットを保管できる。
【００２５】
本発明の中古バッテリーユニット保管庫において、
前記接続回路に電気的に接続されて、前記複数の中古バッテリーユニットから電力の供給を受けて該電力を出力する電力出力部を備え、
前記選択部は、前記放電対象バッテリーユニットから放電させる電力量が、前記充電対象バッテリーユニットの前記所定のＳＯＣの範囲の上限まで充電するために必要な電力量を超過する場合には、該超過する電力を供給する対象として前記電力出力部を選択するように構成されており、
前記充放電制御部は、前記放電対象バッテリーユニット及び前記充電対象バッテリーユニットの前記所定のＳＯＣの範囲内となるように、該放電対象バッテリーユニットから放電させるとともに、該放電された電力を該充電対象バッテリーユニットに充電し、又は該放電された電力を前記電力出力部に供給するように構成されていることが好ましい。
【００２６】
本発明の中古バッテリーユニット保管庫によれば、充電対象バッテリーユニットの所定のＳＯＣの範囲内とするために必要な電力量が余る場合には、余った電力が電力出力部から出力される。
【００２７】
これにより、中古バッテリーユニットそれぞれの所定のＳＯＣの範囲内となるように充電又は放電される確実性が高まり、中古バッテリーユニットの劣化を抑制できる確実性も高まる。
【００２８】
また、余った電力は電力出力部から出力して、他の用途に用いることができるので、余剰電力が無駄にならず、経済的である。
【００２９】
このように本発明の中古バッテリーユニット保管庫によれば、様々なメーカーの中古バッテリーユニットの保管時の劣化を確実に抑えつつ、経済的に複数の中古バッテリーユニットを保管できる。
【００３０】
本発明の中古バッテリーユニット保管庫において、
前記接続回路に電気的に接続されて、前記複数の中古バッテリーユニットから電力の供給を受けて該電力を出力する電力出力部と、
ユーザーによる、前記電力出力部からの電力の出力指示の入力を受け付ける電力出力指示受付部とを備え、
前記選択部は、前記電力出力指示受付部により前記出力指示の入力が受け付けられた場合には、前記複数の中古バッテリーユニットのうち、最もＳＯＣが高い前記中古バッテリーユニットを前記放電対象バッテリーユニットとして選択し、該放電対象バッテリーユニットから放電される電力を供給する対象として前記電力出力部を選択するように構成されており、
前記充放電制御部は、前記放電対象バッテリーユニットのＳＯＣの範囲内となるように、該放電対象バッテリーユニットから放電させるとともに、該放電された電力を前記電力出力部に供給するように構成されていることが好ましい。
【００３１】
本発明の中古バッテリーユニット保管庫によれば、電力出力指示受付部により、ユーザーの操作に応じて、電力出力部からの電力の出力指示の入力が受け付けられる。
【００３２】
そして出力指示の入力が受け付けられた場合には、選択部により、複数の中古バッテリーユニットのうち、最もＳＯＣが高い中古バッテリーユニットが放電対象バッテリーユニットとして選択され、該放電対象バッテリーユニットから放電される電力を供給する対象として電力出力部が選択される。
【００３３】
これにより、ユーザーの操作に基づいて任意のタイミングで放電を行わせることができ。そして、ＳＯＣが高い、すなわち残容量が多い、中古バッテリーから放電をさせることで中古バッテリーの容量切れによる放電対象バッテリーの切換えを抑えることができるため、電力出力部からの電力の出力先である外部負荷などに対して長時間、安定して供給できる可能性が高まる。そのため、放電可能な電力を必要な用途に随時かつ有効に活用できるので、経済的である。
【００３４】
また、バッテリーから放電をさせる際に、大きな電流を放電させると、バッテリーへの負荷が大きくなり、バッテリーの劣化を促進させる要因となる。
【００３５】
ＳＯＣが高いバッテリーは電圧が高く、放電する際の電流を小さくできるので、ＳＯＣが高いバッテリーから放電を行った方が、ＳＯＣが低いバッテリーから放電を行うよりも、バッテリーの負荷が小さく抑えられて、バッテリーの劣化抑制に効果的である。
【００３６】
本発明の中古バッテリーユニット保管庫によれば、放電するバッテリーユニットはＳＯＣの高いものが優先的に選択されるので、放電を行う中古バッテリーの負荷が小さく抑えられ、バッテリーの劣化を効果的に抑制することができる。
【００３７】
このように本発明の中古バッテリーユニット保管庫によれば、様々なメーカーの中古バッテリーユニットの保管時の劣化を効果的に抑えつつ、経済的に複数の中古バッテリーユニットを保管できる。
【００３８】
本発明の中古バッテリーユニット保管庫において、
前記充放電制御部は、前記電力出力部に供給された電力を、前記中古バッテリーユニット保管庫の動作に必要な電力として供給するように構成されていることが好ましい。
【００３９】
本発明の中古バッテリーユニット保管庫によれば、充放電制御部により、電力出力部に供給された電力が中古バッテリーユニット保管庫の動作に必要な電力として供給される。
【００４０】
これにより、電力出力部から出力された電力は中古バッテリーユニット保管庫の動作に必要な電力として用いることができるので、余剰電力が無駄にならず、経済的である。
【００４１】
このように本発明の中古バッテリーユニット保管庫によれば、様々なメーカーの中古バッテリーユニットの保管時の劣化を抑えつつ、経済的に複数の中古バッテリーユニットを保管できる。
【００４２】
本発明の中古バッテリーユニット保管庫において、
前記複数の中古バッテリーユニットそれぞれの劣化状態を取得して前記記憶部に時系列的に記憶させる劣化状態取得部と、
前記時系列的に記憶された前記劣化状態に基づいて前記複数の中古バッテリーユニットそれぞれの劣化傾向を取得する劣化傾向取得部と、
前記複数の中古バッテリーユニットそれぞれの前記劣化傾向に応じて該複数の中古バッテリーユニットそれぞれの前記所定のＳＯＣの範囲を定期的に又は不定期的に決定して前記記憶部に記憶させるＳＯＣ範囲決定部と、
を備えることが好ましい。
【００４３】
中古バッテリーユニットごとに、劣化を抑制するためのＳＯＣの範囲は異なることが考えられる。
【００４４】
本発明の中古バッテリーユニット保管庫によれば、劣化状態取得部により、複数の中古バッテリーユニットそれぞれの劣化状態が取得されて、記憶部に時系列的に記憶される。
【００４５】
そして劣化傾向取得部により、時系列的に記憶された劣化状態に基づいて複数の中古バッテリーユニットそれぞれの劣化傾向が取得される。
【００４６】
また、ＳＯＣ範囲決定部により、複数の中古バッテリーユニットそれぞれの劣化傾向に応じて該複数の中古バッテリーユニットそれぞれの所定のＳＯＣの範囲が定期的に又は不定期的に決定されて記憶部に記憶される。
【００４７】
これにより、複数の中古バッテリーユニットそれぞれの劣化傾向を考慮して、複数の中古バッテリーユニットそれぞれの所定のＳＯＣの範囲を定期的に又は不定期的に見直されるので、中古バッテリーユニットの劣化を抑制できる確実性が高まる。
【００４８】
このように本発明の中古バッテリーユニット保管庫によれば、様々なメーカーの中古バッテリーユニットの保管時の劣化を確実に抑えつつ、経済的に複数の中古バッテリーユニットを保管できる。
【図面の簡単な説明】
【００４９】
【図１】本発明の中古バッテリーユニット保管庫の全体像を示すブロック図。
【図２】本発明の中古バッテリーユニット保管庫の全体像を示すブロック図。
【図３】本発明の中古バッテリーユニット保管庫が処理に用いるデータの内容を示す図。
【図４】本発明の中古バッテリーユニット保管庫が処理に用いるデータの内容を示す図。
【図５】本発明の中古バッテリーユニット保管庫の処理内容を示すフローチャート。
【図６】本発明の中古バッテリーユニット保管庫の処理内容を示すフローチャート。
【図７】本発明の中古バッテリーユニット保管庫の処理内容を示すフローチャート。
【図８】本発明の中古バッテリーユニット保管庫の処理内容を示すフローチャート。
【発明を実施するための形態】
【００５０】
＜中古バッテリーユニット保管庫の構成＞
まず図１〜図４を用いて、本実施形態の中古バッテリーユニット保管庫の構成について説明する。なお同一の構成については、同一の符号を付して説明を省略することがある。
【００５１】
本実施形態の中古バッテリーユニット保管庫は、複数の中古バッテリーユニットＢＵ（ＢＵａ、ＢＵｂ、ＢＵｃ…）を保管する保管庫であって、保管庫本体１０と、充電部３０と、電力出力部５０と、を含んで構成される。
【００５２】
保管庫本体１０は、記憶部１１０と、接続回路１３０と、保管庫制御部１５０と、認識部１７０と、入力部１９０と、を含んで構成される。
【００５３】
記憶部１１０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。
【００５４】
記憶部１１０は、例えば複数の中古バッテリーユニットＢＵそれぞれの特性に応じた所定のＳＯＣ（Ｓｔａｔｅ  Ｏｆ  Ｃｈａｒｇｅ）の範囲に関する情報を記憶しており、複数の中古バッテリーユニットＢＵそれぞれの劣化状態に関する情報を時系列的に記憶している。
【００５５】
ＳＯＣの範囲に関する情報は、例えば図３に示すように、中古バッテリーユニットＢＵを特定する中古バッテリーユニットＩＤ、中古バッテリーユニットＢＵそれぞれの特性に応じたＳＯＣの下限値及び上限値の情報を含んでいる。
【００５６】
ＳＯＣの範囲に関する情報は、例えば各中古バッテリーユニットＢＵの保管を始める際に、ユーザーが入力部１９０を介して入力することにより記憶部１１０に記憶されてもよいし、例えばＳＯＣ範囲決定部１６１が中古バッテリーユニットＢＵのメーカー、型番、充電容量、製造時期、使用履歴、劣化状態などの情報に基づいて当該中古バッテリーユニットＢＵのＳＯＣの範囲を決定して記憶部１１０に記憶されるように構成されていてもよい。
【００５７】
複数の中古バッテリーユニットＢＵそれぞれの劣化状態に関する情報は、例えば図４に示すように、劣化状態の取得日時、中古バッテリーユニットＩＤ、中古バッテリーユニットＢＵのＳＯＨ（Ｓｔａｔｅ  Ｏｆ  Ｈｅａｌｔｈ）の値の情報を含んでいる。
【００５８】
接続回路１３０は、複数の中古バッテリーユニットＢＵを相互に電気的に接続する、例えばＤＣバスである。
【００５９】
保管庫制御部１５０は、ＣＰＵ（Ｃｅｎｔｒａｌ  Ｐｒｏｃｅｓｓｉｎｇ  Ｕｎｉｔ）等の演算処理装置、メモリ、及びＩ/Ｏ（Ｉｎｐｕｔ/Ｏｕｔｐｕｔ）デバイスなどにより構成されている。
【００６０】
保管庫制御部１５０は、所定のプログラムを読み込んで実行することにより例えば選択部１５１、充放電制御部１５３、電力出力指示受付部１５５、劣化状態取得部１５７、劣化傾向取得部１５９、ＳＯＣ範囲決定部１６１として機能する。
【００６１】
選択部１５１は、認識部１７０による認識結果と、記憶部１１０に記憶された複数の中古バッテリーユニットＢＵそれぞれの所定のＳＯＣの範囲とに基づいて、複数の中古バッテリーユニットＢＵから、放電を行わせる放電対象バッテリーユニットＤＢＵと、充電を行わせる充電対象バッテリーユニットＣＢＵとを選択する。
【００６２】
充放電制御部１５３は、放電対象バッテリーユニットＤＢＵ及び充電対象バッテリーユニットＣＢＵのＳＯＣが所定のＳＯＣの範囲内となるように、該放電対象バッテリーユニットＤＢＵから放電させるとともに、該放電された電力を該充電対象バッテリーユニットＣＢＵに充電する。
【００６３】
電力出力指示受付部１５５は、中古バッテリーユニット保管庫のユーザーによる、電力出力部５０からの電力の出力指示の入力を受け付ける。
【００６４】
劣化状態取得部１５７は、複数の中古バッテリーユニットＢＵそれぞれの劣化状態を取得して記憶部１１０に時系列的に記憶させる。
【００６５】
劣化傾向取得部１５９は、記憶部１１０に時系列的に記憶された複数の中古バッテリーユニットＢＵそれぞれの劣化状態に基づいて複数の中古バッテリーユニットＢＵそれぞれの劣化傾向を取得する。
【００６６】
ＳＯＣ範囲決定部１６１は、複数の中古バッテリーユニットＢＵそれぞれの劣化傾向に応じて該複数の中古バッテリーユニットＢＵそれぞれの所定のＳＯＣの範囲を定期的に又は不定期的に決定して記憶部１１０に記憶させる。
【００６７】
認識部１７０（１７０ａ、１７０ｂ、１７０ｃ…）は、保管されている該複数の中古バッテリーユニットＢＵに接続されて、それぞれの電流値及び電圧値を認識する。認識部１７０は、例えば中古バッテリーユニットＢＵそれぞれの電流値及び電圧値を認識するセンサーを含むＢＭＵ及びＣＣＵである。認識部１７０は、例えば複数の中古バッテリーユニットＢＵそれぞれにあらかじめ備えられているＢＭＵ、ＣＣＵがある場合には、当該ＢＭＵ、ＣＣＵをバイパスして中古バッテリーユニットＢＵの電流値及び電圧値を認識する。
【００６８】
入力部１９０は、ユーザーによる入力を受け付ける例えばキーボード又はタッチパネル、マウスその他のポインティングデバイスである。
【００６９】
充電部３０は、接続回路１３０に電気的に接続されて、複数の中古バッテリーユニットＢＵに充電を行う例えば蓄電池であり、電源に接続されたＡＣアダプターである。
【００７０】
電力出力部５０は、接続回路１３０に電気的に接続されて、複数の中古バッテリーユニットＢＵから電力の供給を受けて当該電力を出力して、中古バッテリーユニット保管庫が設置されている施設内の負荷や中古バッテリーユニット保管庫自体に電力を供給する、例えばインバーターである。
【００７１】
あるいは例えば保管庫本体１０は、中古バッテリーユニット保管庫に保管された複数の中古バッテリーユニットＢＵそれぞれの情報（劣化状態、劣化傾向など）に応じた映像を表示するスクリーン、音声を再生するスピーカーを備えていてもよい。
【００７２】
＜処理の概要＞
次に、本実施形態の中古バッテリーユニット保管庫の処理内容について説明する。まず図５〜図８を参照して、中古バッテリーユニット保管庫による一連の処理について説明する。
【００７３】
中古バッテリーユニット保管庫は、当該一連の処理を例えば所定の頻度にて繰り返し実行する。あるいは中古バッテリーユニット保管庫は、ユーザーの操作に応じて、任意のタイミングで当該一連の処理を開始する。
【００７４】
本実施形態の中古バッテリーユニット保管庫は、一連の処理を開始すると、まず認識処理を実行する（図５／Ｓ１０）。その後中古バッテリーユニット保管庫は、選択処理を実行し（図５／Ｓ３０）、充放電制御処理を実行して（図５／Ｓ３０）一連の処理を終了する。以下に、これらの処理の内容について説明する。
【００７５】
＜認識処理＞
認識処理を開始すると認識部１７０（１７０ａ、１７０ｂ、１７０ｃ…）は、それぞれが接続されている中古バッテリーユニットＢＵ（ＢＵａ、ＢＵｂ、ＢＵｃ…）の電流値及び電圧値を認識する（図６／Ｓ１１０）。認識部１７０は、必要に応じて中古バッテリーユニットＢＵそれぞれの温度を併せて認識してもよい。
【００７６】
その後、劣化状態取得部１５７は、複数の中古バッテリーユニットＢＵそれぞれの劣化状態を取得して記憶部１１０に時系列的に記憶させる（図６／Ｓ１３０）。複数の中古バッテリーユニットＢＵそれぞれの劣化状態を取得する手法としては、種々の手法を採用しうる。
【００７７】
本実施形態においては、例えば認識部１７０により認識された複数の中古バッテリーユニットＢＵそれぞれの電流値、電圧値、あるいはさらに温度に基づいて、複数の中古バッテリーユニットＢＵそれぞれのＳＯＨを劣化状態として取得する。
【００７８】
続いて、劣化傾向取得部１５９は、時系列的に記憶された複数の中古バッテリーユニットＢＵそれぞれの劣化状態に基づいて複数の中古バッテリーユニットＢＵそれぞれの劣化傾向を取得する（図６／Ｓ１５０）。複数の中古バッテリーユニットＢＵそれぞれの劣化傾向を取得する手法としては種々の手法を採用しうる。例えば劣化傾向取得部１５９は、直近の所定数の劣化状態の値を取得して、当該値を用いて劣化状態の時系列的な変化を示す近似曲線を得ることにより、複数の中古バッテリーユニットＢＵそれぞれの劣化傾向を取得する。
【００７９】
そして、ＳＯＣ範囲決定部１６１は、複数の中古バッテリーユニットＢＵそれぞれの劣化傾向に応じて複数の中古バッテリーユニットＢＵそれぞれの所定のＳＯＣの範囲を決定して記憶部１１０に記憶させる（図６／Ｓ１７０）。ＳＯＣ範囲決定部１６１は、当該決定を、認識処理が実行されるたびに毎回行ってもよいし、複数回に１回、所定の期間ごとに行ってもよいし、任意のタイミングで随時に行ってもよい。
【００８０】
このようにＳＯＣ範囲決定部１６１は、複数の中古バッテリーユニットＢＵそれぞれの所定のＳＯＣの範囲を定期的に又は不定期的に決定する。これらの一連の処理が実行されて、認識処理は終了する。
【００８１】
＜選択処理＞
選択処理を開始すると選択部１５１は、認識部１７０による認識結果と、記憶部１１０に記憶された複数の中古バッテリーユニットＢＵそれぞれの所定のＳＯＣの範囲とに基づいて、複数の中古バッテリーユニットＢＵから、放電を行わせる放電対象バッテリーユニットＤＢＵを選択し（図７／Ｓ３１０）、充電を行わせる充電対象バッテリーユニットＣＢＵを選択して（図７／Ｓ３３０）処理を終了する。
【００８２】
選択部１５１は例えば、複数の中古バッテリーユニットＢＵのうち、現在のＳＯＣの値が当該中古バッテリーユニットＢＵのＳＯＣの下限値を上回っている中古バッテリーユニットＢＵを特定する。
【００８３】
そして選択部１５１は、特定された中古バッテリーユニットＢＵそれぞれの現在の充電量の値から当該中古バッテリーユニットＢＵのＳＯＣの下限値に相当する充電量の値を差し引いて得られた値が最も大きい中古バッテリーユニットＢＵを放電対象バッテリーユニットＤＢＵとして選択する。なおこのとき選択部１５１は、中古バッテリーユニットＢＵのうち、現在のＳＯＣの値が当該中古バッテリーユニットＢＵのＳＯＣの上限値を上回っている中古バッテリーユニットＢＵを優先的に放電対象バッテリーユニットＣＢＵとして選択する。
【００８４】
また選択部１５１は例えば、現在のＳＯＣの値が最も小さい中古バッテリーユニットＢＵを充電対象バッテリーユニットＣＢＵとして選択する。なおこのとき選択部１５１は、中古バッテリーユニットＢＵのうち、現在のＳＯＣの値が当該中古バッテリーユニットＢＵのＳＯＣの下限値を下回っている中古バッテリーユニットＢＵを優先的に充電対象バッテリーユニットＣＢＵとして選択する。
【００８５】
＜充放電制御処理＞
充放電制御処理を開始すると充放電制御部１５３は、放電対象バッテリーユニットＤＢＵ及び充電対象バッテリーユニットＣＢＵのＳＯＣが所定のＳＯＣの範囲内となるように、該放電対象バッテリーユニットＤＢＵから放電させるとともに、該放電された電力を該充電対象バッテリーユニットＣＢＵに充電する。
【００８６】
すなわち例えば、充放電制御部１５３は、放電対象バッテリーユニットＤＢＵからの放電を開始する（図８／Ｓ５１０）とともに、当該放電された電力の充電対象バッテリーユニットＣＢＵへの充電を開始する（図８／Ｓ５３０）。
【００８７】
その後、充放電制御部１５３は、放電対象バッテリーユニットＤＢＵのＳＯＣが所定のＳＯＣの範囲の下限値に達するか所定程度近づいたときに（図８／Ｓ５５０：Ｙｅｓ）放電対象バッテリーユニットＤＢＵからの放電を停止する（図８／Ｓ５９０）。そして例えば充放電制御部１５３は、充電対象バッテリーユニットＣＢＵのＳＯＣが所定のＳＯＣの範囲の上限値に達するか所定程度近づいたときに（図８／Ｓ５７０：Ｙｅｓ）充電対象バッテリーユニットＤＢＵへの充電を停止する（図８／Ｓ５９０）。
【００８８】
一方で、放電対象バッテリーユニットＤＢＵのＳＯＣが所定のＳＯＣの範囲の下限値に達するか所定程度近づいておらず（図８／Ｓ５５０：Ｎｏ）、かつ充電対象バッテリーユニットＣＢＵのＳＯＣが所定のＳＯＣの範囲の上限値に達するか所定程度近づいていない場合（図８／Ｓ５７０：Ｎｏ）には、充放電制御部１５３は、放電対象バッテリーユニットＤＢＵからの放電と、当該放電された電力の充電対象バッテリーユニットＣＢＵへの充電を継続する。これらの一連の処理が実行されて、認識処理は終了する。
【００８９】
以上述べてきたように、本実施形態の中古バッテリーユニット保管庫によれば、様々なメーカーの中古バッテリーユニットの保管時の劣化を抑えつつ、経済的に複数の中古バッテリーユニットを保管できる中古バッテリーユニット保管庫を提供することができる。
【００９０】
＜その他の実施形態＞
以上、本発明の実施形態について説明したが、これに限定されない。本発明の趣旨を逸脱しない範囲で、種々の変更が可能である。また必要に応じて一部の機能、処理が省略されたり、処理の順序が変更されたりしてもよい。
【００９１】
例えば選択部１５１は、放電対象バッテリーユニットＤＢＵから放電させる電力量が、充電対象バッテリーユニットＣＢＵを所定のＳＯＣの範囲内まで充電するために必要な電力量に不足である場合には、該不足する電力を供給する電源として充電部３０を選択するように構成されてもよい。
【００９２】
この場合、充放電制御部１５３は、放電対象バッテリーユニットＤＢＵ及び充電対象バッテリーユニットＣＢＵのＳＯＣが所定のＳＯＣの範囲内となるように、該放電対象バッテリーユニットＤＢＵから放電させ又は充電部３０から放電させるとともに、放電された電力を充電対象バッテリーユニットＣＢＵに充電するように構成される。
【００９３】
すなわち例えば充電対象バッテリーユニットＣＢＵを所定のＳＯＣの範囲内まで充電するために必要な電力量が１０ｋＷｈであり、最初に放電対象バッテリーユニットＤＢＵとして選択された中古バッテリーユニットＢＵから放電可能な（例えば当該中古バッテリーユニットＢＵの所定のＳＯＣの下限値まで放電した場合の）電力量が４ｋＷｈである場合について説明する。
【００９４】
この場合に選択部１５１は、充電対象バッテリーユニットＣＢＵを所定のＳＯＣの範囲内まで充電するためには６ｋＷｈの電力量が不足するので、電力を放電することができる１つ以上の中古バッテリーユニットＢＵを第２、第３…の放電対象バッテリーユニットＤＢＵとして選択する。
【００９５】
そのうえでまだ充電対象バッテリーユニットＣＢＵを所定のＳＯＣの下限値まで充電するために必要な電力量に不足である場合に選択部１５１は、該不足する電力を供給する電源として充電部３０を選択する。
【００９６】
そして充放電制御部１５３は、最初に放電対象バッテリーユニットＤＢＵとして選択された中古バッテリーユニットＢＵ、第２の放電対象バッテリーユニットＤＢＵ、第３の放電対象バッテリーユニットＤＢＵ…から順次放電させた後に充電部３０から放電させて、当該放電させた電力を充電対象バッテリーユニットＣＢＵに充電する。そして充電対象バッテリーユニットＣＢＵのＳＯＣが所定のＳＯＣの範囲内となったときに、充放電制御部１５３は、充電部３０からの放電と、充電対象バッテリーユニットＣＢＵへの充電を終了する。
【００９７】
あるいは例えば、選択部１５１は、放電対象バッテリーユニットＤＢＵから放電させる電力量が、充電対象バッテリーユニットＣＢＵの所定のＳＯＣの範囲の上限まで充電するために必要な電力量を超過する場合には、該超過する電力を供給する対象として電力出力部５０を選択するように構成されていてもよい。
【００９８】
この場合、充放電制御部１５３は、放電対象バッテリーユニットＤＢＵ及び充電対象バッテリーユニットＣＢＵの所定のＳＯＣの範囲内となるように、該放電対象バッテリーユニットＤＢＵから放電させるとともに、該放電された電力を該充電対象バッテリーユニットＣＢＵに充電し、又は該放電された電力を電力出力部５０に供給するように構成される。
【００９９】
すなわち例えば充電対象バッテリーユニットＣＢＵを所定のＳＯＣの上限値まで充電するために必要な電力量が７ｋＷｈであり、最初に放電対象バッテリーユニットＤＢＵとして選択された中古バッテリーユニットＢＵから当該中古バッテリーユニットＢＵの所定のＳＯＣの上限値まで放電した場合の電力量が１０ｋＷｈである場合について説明する。
【０１００】
この場合、選択部１５１は、充電対象バッテリーユニットＣＢＵを所定のＳＯＣの上限値まで充電しても３ｋＷｈの電力量が余るので、電力を充電することができる中古バッテリーユニットＢＵ、すなわち当該中古バッテリーユニットＢＵの所定のＳＯＣの上限値までまだ余裕のある１つ以上の中古バッテリーユニットＢＵを第２、第３…の充電対象バッテリーユニットＣＢＵとして選択する。
【０１０１】
このようにして第２、第３…の充電対象バッテリーユニットＣＢＵとして選択された中古バッテリーユニットＢＵを所定のＳＯＣの上限値まで充電したとしても、まだ放電対象バッテリーユニットＤＢＵを所定のＳＯＣの上限値まで放電するための電力量が余る場合に選択部１５１は、当該余る電力を供給する対象として電力出力部５０を選択する。
【０１０２】
そして充放電制御部１５３は、最初に充電対象バッテリーユニットＣＢＵとして選択された中古バッテリーユニットＢＵ、第２の充電対象バッテリーユニットＣＢＵ、第３の充電対象バッテリーユニットＣＢＵ…に対して、放電対象バッテリーユニットＤＢＵから順次充電した後に電力出力部５０へと電力を供給させる。そして放電対象バッテリーユニットＤＢＵのＳＯＣが所定のＳＯＣの範囲内となったときに、充放電制御部１５３は、放電対象バッテリーユニットＤＢＵからの放電と、電力出力部５０への給電を終了する。
【０１０３】
なおこのとき充放電制御部１５３は、電力出力部５０に供給された電力を、中古バッテリーユニット保管庫の動作に必要な電力として供給するように構成されてもよい。
【０１０４】
あるいは例えば選択部１５１は、ユーザーによる、電力出力部５０からの電力の出力指示の入力が、電力出力指示受付部１５５により受け付けられた場合には、複数の中古バッテリーユニットＢＵのうち、最もＳＯＣが高い中古バッテリーユニットＢＵを放電対象バッテリーユニットＤＢＵとして選択し、該放電対象バッテリーユニットＤＢＵから放電される電力を供給する対象として電力出力部５０を選択するように構成されていてもよい。
【０１０５】
この場合、充放電制御部１５３は、放電対象バッテリーユニットＤＢＵのＳＯＣの範囲内となるように、該放電対象バッテリーユニットＤＢＵから放電させるとともに、該放電された電力を電力出力部５０に供給するように構成される。
【０１０６】
あるいは上記においては、記憶部１１０、保管庫制御部１５０、入力部１９０が保管庫本体１０と一体的に構成されている実施形態について説明したが、これに限定されない。記憶部１１０、保管庫制御部１５０、入力部１９０の全部又は一部が、保管庫本体１０とは別の、例えばコンピューターなどの装置により構成されていてもよい。
【０１０７】
すなわち例えば記憶部１１０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網などの通信ネットワークを介して保管庫本体１０と通信可能に接続されたコンピューターなどに備えられていてもよい。
【符号の説明】
【０１０８】
１０…保管庫本体、３０…充電部、５０…電力出力部、１１０…記憶部、１３０…接続回路、１５０…保管庫制御部、１５１…選択部、１５３…充放電制御部、１５５…電力出力指示受付部、１５７…劣化状態取得部、１５９…劣化傾向取得部、１６１…ＳＯＣ範囲決定部、１７０…認識部、１９０…入力部、ＢＵ…中古バッテリーユニット。
【要約】
【課題】様々なメーカーの中古バッテリーユニットの保管時の劣化を抑えつつ、経済的に複数の中古バッテリーユニットを保管できる中古バッテリーユニット保管庫を提供する。
【解決手段】中古バッテリーユニット保管庫は、保管されている複数の中古バッテリーユニットの電流値及び電圧値と複数の中古バッテリーユニットそれぞれの所定のＳＯＣの範囲とに基づいて複数の中古バッテリーユニットから放電対象バッテリーユニットと充電対象バッテリーユニットとを選択する選択部と、放電対象バッテリーユニット及び充電対象バッテリーユニットのＳＯＣが所定のＳＯＣの範囲内となるように放電対象バッテリーユニットから放電させるとともに放電された電力を充電対象バッテリーユニットに充電する充放電制御部とを備える。
【選択図】図１【図１】
0006869580.tif 000002
【図２】
0006869580.tif 000003
【図３】
0006869580.tif 000004
【図４】
0006869580.tif 000005
【図５】
0006869580.tif 000006
【図６】
0006869580.tif 000007
【図７】
0006869580.tif 000008
【図８】
0006869580.tif 000009